(57)【要約】【課題】手旗の起動スイッチを接続線で電話電磁制御盤の電池と接続、電話電磁制御盤で携帯電話の発信釦又は復帰釦を電磁ソレノイドで押す操作機構の手旗と電話電磁制御盤。【解決手段】手旗に起動スイッチを調整ビスで上下方に使い勝手に取着して、上方で起動スイッチを上下動自在にし、下方で停止固定し、起動スイッチからの接続線を警務者が所持の電話電磁制御盤の電池と接続線で接続し携帯電話の発信釦又は復帰釦の位置に電磁ソレノイドを配設し、起動スイッチの入り切りで電磁ソレノイドで押す操作機構で発信釦魔又は復帰釦を押せる手旗と電話電磁制御盤。【選択図】図１
0003116894.tif 000002
【実用新案登録請求の範囲】
【請求項１】
電話電磁制御盤に携帯電話の発信釦或いは復帰釦の位置に電磁ソレノイドを配設し、電磁ソレノイドのロッドと連動係止したロッド操作リンクで操作軸を軸として釦操作リンクで発信釦或いは復帰釦を操作自在にした操作機構を有する電話電磁制御盤をコ字型形状で先端に鉤部を有しアンテナ切り欠き部でアンテナをカバーして携帯電話に電話電磁制御盤を装着設け、手旗の旗用パイプの下方に挿入取着した鉄製起動スイッチパイプ底面の孔に２枚の絶縁フェルトを介して端子ボルトでボルト止めし、旗用パイプ内を上下動自在にした起動スイッチの円筒で下方の円錐の先端を端子ボルトと接点接触させ＋端子とし、円錐の先端の背に接触させた接点を鉄製起動スイッチパイプに端子ボルトを介して接点接触させ−端子とした接続線で手旗と警務者を接続線で接続し、手旗と警務者の所持の電話電磁制御盤の電池と接続線で接続し起動スイッチで電源を入り切りすることと、ナット付リングを取付ける上下方の調整孔で、上下方に使い勝手に調整ビスを貫通させナットにビス止めしてナット付リングを鉄製起動スイッチパイプに取着してなる手旗と電話電磁制御盤。
【考案の詳細な説明】
【技術分野】
【０００１】
本考案は駅構内の軌道敷の鉄道工事中に車両が接近したと知らせる手旗で、警務者が車両が接近したことを知らせる手旗と電話電磁制御盤に関る。
【背景技術】
【０００２】
従来から使用されている手旗はプラスック製のパイプに旗を取着したもので、その手旗を使用し、鉄道工事中の車両が接近を警務者が知らせても、工事の騒音等と、工事に集中していて車両と接触し人身事故が起きている。
【考案の開示】
【考案が解決しようとする課題】
【０００３】
本考案では鉄道工事中に使うに最適の警務者が振り上げ下げの手旗をどういう構造にして、電源の入り切りをどうするかの課題と、鉄道工事の駅構内の軌道敷内で警務者の手旗を振り上げ動作で工事者の所持の携帯電話の着信音を鳴らすのと、警務者の手旗の振り下げ動作で工事者の携帯電話の着信音を消音させることを手旗と警務者との間の連絡と、警務者に携帯電話を操作する押す操作機構の操作盤をどう携帯電話に装着すかの課題を解決するものである。
【課題を解決するための手段】
【０００４】
本考案について説明すると、電話電磁制御盤に携帯電話の発信釦或いは復帰釦の位置に電磁ソレノイドを配設し、電磁ソレノイドのロッドと連動係止したロッド操作リンクと操作軸を軸として釦操作リンクで発信釦或いは復帰釦を操作自在にした操作機構を有する電話電磁制御盤をコ字状形状で先端に鉤部を有するアンテナ切り欠き溝でアンテナをカバーして携帯電話に電話電磁制御盤を装着設け、手旗の旗用パイプの下方に挿入取着した鉄製起動スイッチパイプ底面の孔に２枚の絶縁フェルトを介して端子ボルトでボルト止めし、旗用パイプ内で起動スイッチの円筒で下方の円錐の先端を、当該端子ボルトと接点接触させ＋端子とし、円錐の先端の背に接触させた接点を起動スイッチパイプに端子ボルトを介して接点接触させ−端子とした接続線で手旗と警務者を接続線で接続し、手旗と警務者の所持の電話電磁制御盤の電池と接続線と接続し、起動スイッチで電源が入いれば発信釦の位置に配設した電磁ソレノイドて発信釦を押す操作機構で発信して工事者の所持の携帯電話の着信音を鳴らし、起動スイッチが切れれば電磁ソレノイドが駆動して復帰釦の位置に配設した電磁ソレノイドで復帰釦を押す操作機構で復帰させ工事者の携帯電話の着信音を消音させる手段で問題点を解決し、起動スイッチチパイプに嵌挿したナット付リングを、起動スイッチパイプの上下方の２段に分けた調整孔で使い勝手に貫通させた調整ビスをナットとビス止めしてナット付リングを取着したから鉄製起動スイッチパイプの鉄材の肉厚を薄く出来、電池を排除したから従来と同じ軽量の手旗とすることが出来、上下方に２段に分けた調整孔に、使い勝手にナッ付リングを貫通させ固定の調整ビスで起動スイッチを調整自在にする手段で問題点を解決し、上方の調整孔にナット付リングを調整ビスで固定すれば起動スイッチの上下動自在にして、警務者の手旗の振り上げ、振り下げ動作でスイッチの入り切りが出来、下方の調整孔にナット付リングを調整ビスで固定すれば起動スイッチを固定出来る持ち運びに便なるものである。
【考案の効果】
【０００５】
本考案は上述のように、電話電磁制御盤に携帯電話の発信釦或いは復帰釦の位置に電磁ソレノイドを配設し、電磁ソレノイドのロッドと連動係止したロッド操作リンクと操作軸を軸として釦操作リンクで発信釦或いは復帰釦を操作自在にした操作機構を有する電話電磁制御盤をコ字型形状で先端に鉤部を有しアンテナ切り欠き溝でアンテナをカバーして携帯電話に電話電磁制御盤を装着設けたから、起動スイッチで電源が入いれば電磁ソレノイドは駆動して発信釦の位置に配設した電磁ソレノイドで押す操作機構で発信釦を押して発信し、工事者の所持の携帯電話の着信音を鳴らし、近傍の工事者の全員に工事場所から退避させる効果が有り、電磁ソレノイドが駆動すれば復帰釦の位置に配設した電磁ソレノイドで押す操作機構で復帰釦を押して復帰させて工事者の所持の携帯電話の着信音を消音させ、工事者は工事に着工できる効果が有り、旗用パイプの下方に鉄製起動スイッチパイプ底面の孔に２枚の絶縁フェルトを介して端子ボルトをボルト止めし、旗用パイプ内に上下動自在に設けた軌道スイッチの円筒で下方の先端を、当該端子ボルトと接点接触させ＋端子とし、円錐の先端の背に接触させた接点を鉄製起動スイッチパイプに端子ボルトを介して接点接触をさせた−端子とした、＋−端子からの接続線により手旗と警務者を接続線で接続し、手旗と警務者が所持の電話電磁制御盤の電池と接続線で接続し、起動スイッチで電源を入り切りするようにしたものである。  起動スイッチパイプに嵌挿したナット付リングを、起動スイッチパイプの上下方の２段に分けた調整孔で使い勝手に貫通させた調整ビスをナットとビス止めしてナット付リングを取着したから鉄製起動スイッチパイプの鉄材の肉厚を薄く出来、電池を排除したから従来と同じ軽量の手旗とする効果が有る。上方の調整孔で貫通した調整ビスの隙間を持った構成にしたから起動スイッチを上下動自在にし手旗を振り上げ下げ動作でスイッチ回路を入り切り出来、下方の調整孔で貫通した調整ビスで起動スイッチを停止固定させ持ち運びに便なる効果を有する。
【考案を実施するための最良の形態】
【０００６】
以下、本考案の実施の形態を図１〜図３に基づいて説明する。
【実施例】
【０００７】
本考案を図１、２により説明すると、電話電磁制御盤１に携帯電話９の発信釦或いは復帰釦の位置に電磁ソレノイド８を配設し、電磁ソレノイド８のロッドと連動係止したロッド操作リンク１３と操作軸１５を軸として釦操作リンク１４で発信釦或いは復帰釦を操作自在にした操作機構２２を有する電話電磁制御盤１をコ字型形状の先端に鉤部１８を有するアンテナ切り欠き溝でアンテナをカバーして携帯電話９に電話電磁制御盤１を装着設け、電磁ソレノイド８が駆動すればロッドが引っ込む動作のロッドで、ロッドと連動係止したロッド操作リンク１３は操作軸１５を軸として釦操作リンク１４で押す操作自在の押す操作機構２２で、発信釦或いは復帰釦を押すようにしたものである。
コ字型形状で先端に鉤部１８を有しアンテナ切り欠き溝でアンテナをカバーして携帯電話９に電話電磁制御盤１を装着し、コ字型形状と鉤部１８で携帯電話９を挟み装着するようにしたものである。
但し、携帯電話９で通称言う電話番号指定釦を発信釦とし、警務者が所持の携帯電話９には予め携帯電話番号の指定番号を記録し発信釦を押せば発信の状態で使用し、発信釦を押せば発信状態で工事者の所持の携帯電話の着信音を鳴らし、発信釦には登録した電話番号を常時呼び状態に戻るようにしてある。
携帯電話で通称言う電話切り釦を復帰釦とし、復帰釦が押されれば警務者の携帯電話は復帰して発信釦待ちで、工事者の携帯電話９は受信状態に戻る。又この場合工事者は携帯電話９に出ることは無いものである。
図３について、手旗２のプラスック製の旗用パイプ３内に鉄製の起動スイッチ６を円筒で先端の円錐を下方にして上下動自在に挿入し、その旗用パイプ３の下方に鉄製起動スイッチパイプ１１を挿入取付け、鉄製起動スイッチパイプ１１の底面の孔に絶縁フェルト１０の２個で底面を挟み端子ボルト１７で絶縁フェルト１０の２個を貫通させボルト止めし＋端子４とし、旗用パイプ３内で上下動自在にした円筒の先端が円錐の起動スイッチ６を落下させることにより、円錐の先端は端子ボルト１７の先端と接点接触し、接点接触の円錐の先端の背に接触させた接点を鉄製起動スイッチパイプ１１に端子ボルト２１を介して接点接触させ−端子５と導通させ引き出した＋−端子４，５の接続線で手旗２と警務者を接続線で接続し、起動スイッチ６で接続線と警務者が所持の電話電磁制御盤１の電池１０と接続線で接続して電源を入り切りさせるものである。
手旗２は鉄製起動スイッチパイプ１１に嵌挿したナット付リング１９を、起動スイッチパイプ１１の上下方の２段に分けた調整孔２０で使い勝手に貫通させた調整ビス１６をナットとビス止めしてナット付リング１９で旗用パイプ３に鉄製起動スイッチ１１を取着したから鉄製起動スイッチパイプ１１の鉄材の肉厚を薄くでき、しかも、プラスチック製の旗用パイプ３に挿入し鉄製起動スイッチパイプ１１をナット付リング１９で取着の強固な構造の手旗２として提供出来、電池を排除したから従来と同じ軽量の手旗２とすることが出来るものである。
警務者が警務を開始する前には、図のように上下方の２段に分けた貫通孔の調整孔の上方で使って、ナット付リング１９を貫通させ調整ビス１６と起動スイッチ６との間に隙間を設けて起動スイッチ６を上下動自在にしたから、上方の貫通孔の調整孔２０にナット付リング１９をナットを介して調整ビス１６を貫通させビス止め固定して鉄製の起動スイッチ６と調整ビス１６の間で起動スイッチ６が十分に上下動自在にして起動スイッチ６で電源の入り切りするものである。
警務終了後には、調整ビス１６を外し、下方の調整孔２０に調整ビス１６を貫通させナットを介してナット付リング１９を取付け、貫通した調整ビス１６て起動スイッチ６の上方を押え付けて、警務終了後の持ち運びに便にしたものである。
【産業上の利用可能性】
【０００８】
本考案は電話電磁制御盤に携帯電話の発信釦或いは復帰釦の位置に電磁ソレノイドを配設し、電磁ソレノイドを駆動させ押す操作機構で発信釦或いは復帰釦を押す操作自在にした操作機構を有する電話電磁制御盤をコ字型形状の先端に鉤部を有しアンテナ切り欠き溝でアンテナをカバーして携帯電話に電話電磁制御盤を装着設け、手旗の旗用パイプ内に起動スイッチを上下動自在にした起動スイッチの円筒で下方を円錐の先端を端子ボルトに接点接触させ＋端子とし、円錐の先端の背に接触させた接点を鉄製起動スイッチパイプに端子ボルトを介して接点接触させ−端子として引き出した接続線で手旗と警務者を接続線で接続し、起動スイッチで接続した警務者が所持の電話電磁制御盤の電池と接続したから警務者の振り上げ動作の手旗で起動スイッチのスイッチ回路が入るようにし、ナット付リングを取付ける上下の調整孔で、上下方に使い勝手に調整ビスを貫通させナットを介してナット付リングで鉄製起動スイッチパイプにビス止めするようにしたから鉄製起動スイッチパイプの肉厚を薄く出来、プラスック製の旗用パイプの下方に鉄製起動スイッチパイプを挿入しナット付リングで調整ビスで取着した強固な構造の手旗として利用可能大である。
【図面の簡単な説明】
【０００９】
【図１】本考案の電磁ソレノイドと携帯電話釦操作リンクの操作説明図である。
【図２】本考案の電話電磁制御盤の正面図である。
【図３】本考案の手旗の起動スイッチの作動状態と要部詳細説明図である。
【符号の説明】
【００１０】
１    電話電磁制御盤                    ２      手旗
３    手旗                              ４      ＋端子
５    −端子                            ６      起動スイッチ
７    電池                              ８      電磁ソレノイド
９    携帯電話                          １０    絶縁フェルト
１１  起動スイッチパイプ                １３    ロッド操作リンク
１４  釦操作リンク                      １５    操作軸
１６  調整ビス                          １７    端子ボルト
１８  鉤部                              １９    ナット付リング
２０  調整孔                            ２１    端子ボルト
２２  操作機構
【図１】
0003116894.tif 000003
【図２】
0003116894.tif 000004
【図３】
0003116894.tif 000005